(57)【要約】【課題】タッチスクリーンが使用されず、鏡の前の人物のジェスチャが複数のカメラによって監視されることがない、対話型ミラーを提供する。【解決手段】反射性ミラー面１と、ミラー面１と一体化した少なくとも１つのディスプレイ２と、ミラーと一体化した少なくとも１つのアクティブ型赤外線センサ３と、少なくとも１つのアクティブ型赤外線センサ３によって検出されたデータに基づいて、ミラーの前で行う人物の動きとジェスチャのいずれか一方または両方を判定するように適合されたプロセッサ５とを備える。【選択図】図１
2017524216.tif 000002
【特許請求の範囲】
【請求項１】
対話型のミラーであって、
反射性ミラー面と、
前記ミラー面と一体化した少なくとも１つのディスプレイと、
当該ミラーと一体化した少なくとも１つのアクティブ型赤外線センサと、
前記少なくとも１つのアクティブ型赤外線センサによって検出されたデータに基づいて、前記ミラーの前で行う人物の動きとジェスチャのいずれか一方または両方を判定するように適合されたプロセッサとを備えた対話型ミラー。
【請求項２】
請求項１に記載の対話型ミラーにおいて、当該対話型ミラーが、無線または有線によって１つ以上の外部電子機器と通信するように適合され、好ましくは、ある外部電子機器が当該ミラーに近付けられることと、ある外部電子機器が当該ミラーの近傍で電源が投入されることとのいずれか一方または両方が満たされると、この外部電子機器を認識するように適合されている対話型ミラー。
【請求項３】
請求項２に記載の対話型ミラーにおいて、当該対話型ミラーが、近距離無線通信、ブルートゥース（登録商標）送信機もしくはブルートゥース（登録商標）受信機またはブルートゥース（登録商標）送受信機、ＷｉＦｉ（登録商標）、ＴＰイーサネット（登録商標）、４３３ＭＨｚネットワークもしくは８６６ＭＨｚネットワーク、ＺｉｇＢｅｅ（登録商標）ネットワーク、ＲＦＩＤセンサ、ならびに赤外線送信機もしくは赤外線受信機または赤外線送受信機のインタフェースのうちの１つまたは組合せを含む対話型ミラー。
【請求項４】
請求項２または３に記載の対話型ミラーにおいて、当該対話型ミラーが、外部電子機器から受信したデータに基づいて、(i)非アクティブモードからアクティブモードへの切替、(ii)アクティブモードから非アクティブモードへの切替、(iii)前記外部電子機器に関連するアプリケーションの始動と終了のいずれか一方または両方、(iv)機器固有情報の前記ディスプレイへの表示、(v)指示の前記ディスプレイへの表示、(vi)前記外部電子機器の以前の使用と推奨される使用のいずれか一方または両方に対応する利用データの表示、(vii)さらに別の外部電子機器の制御、ならびに(viii)機器固有情報と利用データのいずれか一方または両方のさらに別の外部電子機器への送信の手順のうちの１つ以上を実行するように適合されている対話型ミラー。
【請求項５】
請求項２から４のいずれか一項に記載の対話型ミラーにおいて、当該対話型ミラーが、外部電子機器を、好ましくは、２つ以上の電子機器を同時に制御するように適合されている対話型ミラー。
【請求項６】
請求項５に記載の対話型ミラーにおいて、前記制御が、前記ミラーの前で行う動きとジェスチャのいずれか一方または両方によって制御自在である対話型ミラー。
【請求項７】
請求項１から６のいずれか一項に記載の対話型ミラーにおいて、当該対話型ミラーが、さらに、マイクロフォンを備えた対話型ミラー。
【請求項８】
請求項１から７のいずれか一項に記載の対話型ミラーにおいて、前記プロセッサが、前記少なくとも１つのアクティブ型赤外線センサによって検出されたデータに基づいて、前記ミラーの前の人物を識別するように適合されている対話型ミラー。
【請求項９】
請求項８に記載の対話型ミラーにおいて、前記プロセッサが、前記識別に基づいて、前記ディスプレイ上に個人専用のデータを映し出すように適合されている対話型ミラー。
【請求項１０】
請求項１から９のいずれか一項に記載の対話型ミラーにおいて、前記少なくとも１つのディスプレイが、互いに隣り合って配置された２つのディスプレイを含み、これらディスプレイは、好ましくは、前記ミラーの前の２人の人物により同時に使用可能である対話型ミラー。
【請求項１１】
請求項１０に記載の対話型ミラーにおいて、前記少なくとも１つのアクティブ型赤外線センサによって検出されたデータに基づいて、前記プロセッサが、前記ミラーの前の２人の人物が同時に行う動きとジェスチャのいずれか一方または両方を判定し、前記２つのディスプレイを前記２人の人物にそれぞれ割り当てるように適合されている対話型ミラー。
【請求項１２】
請求項１から１１のいずれか一項に記載の対話型ミラーにおいて、前記プロセッサが、前記ディスプレイ上に表示される情報を前記ミラーの前の人物の鏡像と合体するように、または、前記ディスプレイ上に表示される情報を前記ミラーの前の人物の鏡像に映し出すように適合されている対話型ミラー。
【請求項１３】
対話型ミラーを制御する方法であって、
(a)少なくとも１つのディスプレイ、少なくとも１つのアクティブ型赤外線センサ、および少なくとも１つのプロセッサを備えた対話型ミラー、好ましくは、請求項１から１２のいずれか一項に記載の対話型ミラーを提供する工程と、
(b)前記ミラーの前で動きとジェスチャのいずれか一方または両方を行う工程と、
(c)前記少なくとも１つのアクティブ型赤外線センサによって、行われる前記動きとジェスチャのいずれか一方または両方を検出する工程と、
(d)前記ミラーの前で行われる前記動きとジェスチャのいずれか一方または両方を判定するために、前記少なくとも１つのアクティブ型赤外線センサによって検出されたデータを、前記プロセッサによって解析する工程とを備えた方法。
【発明の詳細な説明】
【技術分野】
【０００１】
本発明は、動きおよび／またはジェスチャによって制御できる対話型ミラーに関する。
【背景技術】
【０００２】
我々は、人生のかなりの時間を鏡の前、例えば、歯磨きや髭剃り中に洗面所の鏡の前で過ごしている。これらの行動にはあまり注意を払わなくてもよいため、この時間を同時に他の事（例えば、より効率的に器具を操作することや、ニュースを読むことなど）に使用するのが望ましい。例えば、特許文献１には、別の情報をミラーに映し出すことが記載されている。この文献は、また、タッチスクリーンによるミラーとの直接的な対話について記載する。
【０００３】
しかしながら、洗面所でのタッチスクリーンの使用は、実際にはあまり役に立たない。洗面所にはいつも湿気があるため、ミラーにタッチすると美観を損なう跡を残してしまうためである。これに対して、特許文献２には、ミラーと一体化したディスプレイを、複数のカメラによって監視されるジェスチャによって制御することが示唆されている。しかし、特に、このような対話型ミラーがさらに別の外部装置と通信すること、および特にインターネットと通信することを意図している場合、多くのユーザは、場合によっては服を着ていないときにカメラによって記録されることを敬遠する。
【先行技術文献】
【特許文献】
【０００４】
【特許文献１】米国特許出願公開第２００２／００８０４９４号
【特許文献２】国際公開第２００５／０３１５５２号
【発明の概要】
【発明が解決しようとする課題】
【０００５】
したがって、本発明の基礎をなす課題は、特に前述の不利な点を考慮して、改善した対話型ミラーの提供をすることである。この課題を、請求項１に記載の対話型ミラーによって解決する。本発明に係る対話型ミラーの好ましい構成を、従属請求項に記載する。
【課題を解決するための手段】
【０００６】
このため、本発明は、少なくとも部分的に反射性を有するミラー面（ミラー表面）と、前記ミラー面と一体化した少なくとも１つのディスプレイとを備えた対話型ミラーに関する。本発明に係る対話型ミラーは、さらに、前記ミラー面と一体化されているか、または、前記ミラーに取り付けられたアクティブ型赤外線センサを備える。さらに、前記ミラーは、前記少なくとも１つのセンサによって検出されたデータに基づいて、前記ミラーの前（ミラーの前方、ミラーの正面）で行う人物の動きおよび／またはジェスチャを判定するように適合されたプロセッサを備える。すなわち、前記アクティブ型赤外線センサの構成要素が、前記ミラーの前の人物によって反射される赤外領域の放射線を照射する。前記反射された赤外線が、前記アクティブ型赤外線センサの構成要素よって受信され、前記受信されたデータは、前記プロセッサによって評価される。前記少なくとも１つのセンサによって検出されたデータに基づいて、前記プロセッサは、前記ミラーの前で前記人物が行う動きおよび／またはジェスチャを判定できる。前記アクティブ型赤外線センサの送信用構成要素および受信用構成要素は、単体のセンサに一体化されてもよく、または、互いに距離を設けて前記ミラーに取り付けられる別々の構成要素から構成されてもよい。
【０００７】
前記少なくとも１つのディスプレイは前記ミラー面と一体化されて、前記ミラー面のディスプレイ領域は、前記ディスプレイの電源が投入されたときに情報を表示できる一方、前記ディスプレイの電源が切られたときに前記ミラーの前の人物が、前記ディスプレイ領域と残りのミラー面との間における自身の鏡像に何の違いも認識しないように前記ディスプレイが反射性に有するように構成されている。このために、前記少なくとも部分的に反射性を有するミラー面は、好ましくは少なくとも１０％、より好ましくは少なくとも１５％、最も好ましくは少なくとも２０％の光透過率で構成されている。好ましくは、ディスプレイが一体化していない前記ミラー面の領域は、前記ミラーの背面において、コントラストを向上させる黒色箔で覆われている。電源が切られたブラックのディスプレイと黒色箔とは、均一な鏡像の生成を保証するために、好ましくは、可視スペクトルにおいて本質的に同じ光学特性を有する。
【０００８】
好ましくは、本発明に係る対話型ミラーは、少なくとも２つのアクティブ型赤外線センサを備える。これら少なくとも２つのアクティブ型赤外線センサは、好ましくは、前記ミラー面または前記ミラーの互いに反対側の２つの縁端部に、または、これら縁端部の近くに配置される。好ましくは、本発明に係るミラーは、２つの側方ミラー縁端部それぞれに、１つのアクティブ型赤外線センサを備える。これにより、例えば、右手のジェスチャと左手のジェスチャとが、特に間違いなく判定されて互いに区別可能となる。アクティブ型赤外線センサの使用が特に好ましいが、本発明はこのようなセンサに限定されるわけではない。実際のところ、前記アクティブ型赤外線センサに代えて、人物が発する赤外線放射の測定のみを行うパッシブ型赤外線センサを使用すること、または、超音波センサを提供することも可能である。したがって、本発明に関連して説明する全ての構成が、前記ミラーと一体化したパッシブ型赤外線センサまたは前記ミラーと一体化した超音波センサを備えた対話型ミラーにおいても使用可能である。
【０００９】
前記プロセッサは、好ましくは、前記一体化したディスプレイの明るさを周囲の明るさに調節するように適合されている。このために、本発明に係るミラーは、好ましくは、輝度センサ（例えばフォトダイオードなど）を含む。これに加えてまたはこの代わりに、このような輝度センサは、前記ミラーを起動するのに役に立つ。すなわち、前記ミラーを単に反射している状態（市販のミラー）から、動きおよび／もしくはジェスチャを判定し、ならびに／または、前記ディスプレイ上に情報を映し出すように適合された対話型ミラーに変換するのに、輝度センサが役に立つ。これにより、本発明に係るミラーは、例えば、洗面所において明かりが点けられることによって起動されてもよい。
【００１０】
好ましくは、本発明の対話型ミラーは、無線または有線によって１つ以上の外部電子機器と通信するように適合されている。これらの電子機器は、例えば、サーバー、ＰＣ、タブレットコンピュータ、スマートフォン、またはインターネット接続でもよい。最も好ましくは、前記外部電子機器は、例えば、電気シェーバ、電動歯ブラシ、ヘアドライヤなどである。
【００１１】
好ましくは、前記対話型ミラーは、ある外部電子機器が前記ミラーに近付けられることと、ある外部電子機器が前記ミラーの近傍で電源が投入されることとのいずれか一方または両方が満たされると、この外部電子機器を認識するように適合されている。このために、前記対話型ミラーは、近距離無線通信、ブルートゥース（登録商標）送受信機、ＷｉＦｉ（登録商標）、ＴＰイーサネット（登録商標）、４３３ＭＨｚネットワークもしくは８６６ＭＨｚネットワーク、ＺｉｇＢｅｅ（登録商標）ネットワーク、ＲＦＩＤセンサ、ならびに赤外線送信機もしくは赤外線受信機または赤外線送受信機のインタフェースのうちの１つまたは組合せを含んでもよい。
【００１２】
好ましくは、前記対話型ミラーは、外部電子機器から受信したデータに基づいて、(i)非アクティブモードからアクティブモードへの切替、(ii)アクティブモードから非アクティブモードへの切替、(iii)前記外部電子機器に関連するアプリケーションの始動と終了のいずれか一方または両方、(iv)機器固有情報の前記ディスプレイへの表示、(v)指示の前記ディスプレイへの表示、(vi)前記外部電子機器の以前の使用と推奨される使用のいずれか一方または両方に対応する利用データの表示、(vii)さらに別の外部電子機器の制御、ならびに(viii)機器固有情報と利用データのいずれか一方または両方のさらに別の外部電子機器への送信の手順の内の１つ以上を実行するように適合されている。
【００１３】
例えば、デジタルネットワーク化された歯ブラシが、この歯ブラシの現在の使用および先の使用についてユーザに知らせるために、ならびに／または、現在行われている歯科治療についての詳細を表示するために、前記対話型ミラーのディスプレイ上に、制御および情報の領域を映し出してもよい。前記ミラーは、例えば、この歯ブラシが前記ミラーの極めて近傍またはミラーガラスの所定のゾーンに位置すると、起動また停止されてもよい。さらに別の例は、本発明に係る対話型ミラーとホームオートメーションシステムとの組合せである。これにより、例えば、ドアや車庫の開放、または煙の警報状態もしくはガラス破損検出器などの情報が、前記ミラーに情報として映し出されてもよい。
【００１４】
さらに好ましくは、前記対話型ミラーは、外部電子機器、好ましくは、２つ以上の電子機器を同時に制御するように適合されている。好ましくは、前記制御は、前記ミラーの前で行う動きおよび／またはジェスチャによって制御されてもよい。例えば、水温および充填時間に関する浴槽水供給の制御が、前記ミラーを介して制御可能である。そして、前記浴槽が満杯になると、さらに別の機器を介してユーザに合図が出される。別の例では、前記ミラーによって認識されたジェスチャを介して、例えば、スマートフォン上のカレンダーにデータが入力される。
【００１５】
前記対話型ミラーは、好ましくは、さらに、マイクロフォンを備える。これにより、例えば、さらに別の音響制御が可能となる。このようにして、例えば、電子メールまたはカレンダー登録を口述できる。さらに、前記プロセッサは、前記マイクロフォンによって受信される騒音から、この受信された騒音を前記外部電子機器についての記憶された作動音と比較することにより、現在起動中の外部電子機器を推測するように適合されてもよい。これは、電動歯ブラシ、ヘアドライヤ、および電気シェーバはそれぞれ固有の騒音を生じるためである。これら固有の騒音は、本発明に係る前記マイクロフォンによって認識可能である。
【００１６】
好ましくは、前記プロセッサは、バージョンアップ可能な特定のアプリケーション（「ａｐｐ」および「ウィジェット」）を、前記ディスプレイ上に、例えば、ネットワーク接続によって映し出すように適合されている。これらのアプリケーションは、例えば、ユーザに対して一般的または固有に関係する情報、例えば、天気、交通情報、ニュースなどを含むことができる。これに加えて、フェイスブックおよびツイッタなどのソーシャルネットワークのコンテンツも含むことができる。この代わりにまたはこれに加えて、このようなアプリケーションが前記プロセッサまたはメモリユニットにプリインストールされてもよい。
【００１７】
本発明に係るミラーは、好ましくは、前記ディスプレイ上に表示される情報を前記ミラーの前の人物の鏡像と合体するように、または、前記ディスプレイ上に表示される情報を前記鏡像に映し出すように適合されている。この場合、アプリケーションは、好ましくは、人物の現在の位置に対して適応的に調整される。例えば、このミラーに対応している電気シェーバが使用されている間に、所定の髭剃りパターンが人物の鏡像に重ね合わせられてもよい。
【００１８】
本発明に係るミラーのプロセッサは、好ましくは、前記ミラーの前での前記人物の意図した対話と一般的な動きとを、ユーザによる誤った動作を避けるために区別できる。この区別は、特に、特定のジェスチャのみを制御ジェスチャとして認識させ、これらジェスチャが特定の外部電子機器との組合せで発生する場合に限ることで達成できる。
【００１９】
さらに好ましくは、本発明に係るミラーは、前記ミラーの前もしくはその部屋に人物がいなくても、また、前記ミラーが停止していても、音響的におよび／もしくはバックグラウンド光により、メッセージ／情報を自動で映し出すことができ、ならびに／または、アラームを引き起こすことができる。これは、例えば、優先度の高いメッセージ（煙検出器、重大な気象警報など）が入ってきた場合に有用であり得る。
【００２０】
好ましくは、本発明に係るミラーのプロセッサは、前記少なくとも１つのセンサによって検出されたデータに基づいて、前記ミラーの前の人物を識別するように適合されている。これは、例えば、前記プロセッサが、前記少なくとも１つのセンサによって検出されたデータに基づいて前記ミラーの前の人物の寸法を導き出すことにより達成できる。これに加えてまたはこの代わりに、前記プロセッサは、特定の人物にとって典型的である特定の動作パターンを認識するように適合されてもよい。さらに別の識別の方法は、個人の物（歯ブラシ、ＲＦＩＤリストバンド、スマートウォッチなど）の使用であってもよい。前記プロセッサは、さらに好ましくは、前記識別に基づいて、前記ディスプレイ上に個人専用のデータを映し出すように適合されている。
【００２１】
好ましくは、前記少なくとも１つのディスプレイが、互いに隣り合って配置された２つのディスプレイ、および／または、互いに隣り合って配置された２つの別々のディスプレイ部を含む。これらは、好み（例えば、左利き用または右利き用）に応じてユーザによって使用されてもよい。好ましくは、互いに隣り合って配置された前記２つのディスプレイまたはディスプレイ部が、前記ミラーの前の２人の人物により同時に使用可能である。前記少なくとも１つのセンサによって検出されたデータに基づいて、前記プロセッサは、好ましくは、前記ミラーの前の２人の人物が同時に行う動きとジェスチャのいずれか一方または両方を判定し、前記２つのディスプレイを前記２人の人物にそれぞれ割り当てるように適合されている。
【００２２】
本発明に係るミラーは、さらに、ユーザは、特定のジェスチャおよび／またはジェスチャの組合せを定義し、これら特定のジェスチャおよび／またはジェスチャの組合せと特定の制御コマンドとを結び付けることができる。これにより、このように定義されたジェスチャまたはジェスチャの組合せが行われるたびに、前記ミラーのプロセッサは、そのジェスチャまたはジェスチャの組合せに結び付けられた手順を実行する。すなわち、例えば、特定のコンテンツを前記ディスプレイ上に映し出す手順や、特定の外部電子機器との通信を開始する手順などを実行する。このようなジェスチャまたはジェスチャの組合せは、身体の任意の動き、より正確には、身体の１つ以上の部分、例えば、腕または手の任意の動き、例えば、水平方向および／もしくは垂直方向のワイプ運動、指のフラップ動作、１本以上の指を使用する指差し動作、手の開閉、腕の上げ下げ、頭のうなずき、ならびに／または、頭の揺すりなどを含み得る。
【００２３】
本発明は、さらに、ディスプレイ、センサおよびプロセッサを備えた対話型ミラー（好ましくは、上述の対話型ミラー）を提供する工程と、前記ミラーの前で動きとジェスチャのいずれか一方または両方を行う工程であって、前記動きとジェスチャのいずれか一方または両方は、１人以上の人物によって同時に行われることができる、工程と、前記少なくとも１つのセンサによって、行われる前記動きとジェスチャのいずれか一方または両方を検出する工程と、前記ミラーの前で行われる前記動きとジェスチャのいずれか一方または両方を識別するために、前記検出されたデータを、前記プロセッサによって解析する工程とを備えた方法に関する。
【００２４】
前記識別した動きとジェスチャのいずれか一方または両方に基づいて、好ましくは、前記プロセッサによって手順が引き起こされ、前記プロセッサにより手順が実行される。好ましくは、前記手順は、(i)非アクティブモードからアクティブモードへの前記ミラーの切替、(ii)アクティブモードから非アクティブモードへの前記ミラーの切替、(iii)前記外部電子機器に関連するアプリケーションの始動と終了のいずれか一方または両方、(iv)機器固有情報の前記ディスプレイへの表示、(v)指示の前記ディスプレイへの表示、(vi)外部電子機器の以前の使用と推奨される使用のいずれか一方または両方に対応する利用データの表示、(vii)一般的および／またはユーザ固有情報（例えば、ニュース、電子メール、天気、ツイッタ、フェイスブックなど）の表示のうちの１つまたは組合せである。
【００２５】
好ましくは、本発明に係る方法は、さらに、前記対話型ミラーを１つ以上の外部電子機器と無線通信させる工程、および／または、１つ以上の外部電子機器を無線制御する工程を備える。好ましくは、本発明に係る方法は、さらに、１つ以上の外部電子機器を、前記ミラーの前で行う動きとジェスチャのいずれか一方または両方により無線制御する工程を備える。
【００２６】
好ましくは、本発明に係る方法は、さらに、前記対話型ミラーを設定する工程であって、１つ以上の動きおよび／またはジェスチャを、前記ミラーのプロセッサが、前記動きおよび／またはジェスチャをユーザが行うと実行するかまたは引き起こす特定の手順に、ユーザが結び付ける工程を備える。このために、前記動きまたはジェスチャが十分な精度で認識されて記憶されたという合図をミラーが出すまで、前記動きまたはジェスチャが、前記ミラーの前で１回または複数回行われる。次に、前記ジェスチャおよび／または動きが、特定の手順、例えば「ニュースを表示する」などと結び付けられる。これにより、例えば、ユーザが前記ミラーの前で手を握ってから開き直すたびに、現在のニュースが前記ミラーのディスプレイ上に表示される。
【００２７】
本発明に係る方法は、好ましくは、さらに、前記少なくとも１つのセンサによって検出されたデータに基づいて、前記ミラーの前の人物を識別する工程を備える。この識別は、例えば、前記ミラーの前の人物の寸法によって行われてもよい。これに加えてまたはこの代わりに、その他の身体的特徴および／または典型的な動き挙動が、人物を特定するための基礎として使用されてもよい。さらに別の識別の実現方法は、個人の物（歯ブラシ、ＲＦＩＤリストバンド、スマートウォッチなど）の使用であってもよい。前記対話型ミラーがマイクロフォンを含む場合、前記特定を、これに加えてまたはこの代わりに、人物の声によって行うことも可能である。さらに、本発明に係る方法は、好ましくは、人物の識別に基づいて、前記ディスプレイ上に個人専用のデータを表示する工程を備える。このために、データの出力に影響を及ぼし得る個々のユーザのプロフィールおよびリクエスト（ユーザプロフィール）が、好ましくは、前記プロセッサのメインソフトウェアに記憶される（カスタマイゼーション）。想定されるユーザを互いに区別するために、例えば、ジェスチャ、寸法（赤外線）、輪郭（カメラ）、および／または声（スピーチ入力）に従って、前記識別の最中に、１つ以上のセンサによって提供されるデータが、例えば、前記プロセッサのメインソフトウェアによって解釈される。
【００２８】
本発明に係る対話型ミラーに関連して記載された全ての好ましい構成は、本発明に係る方法の好ましい構成でもあり、その逆も当てはまることを理解されたい。
【発明の効果】
【００２９】
本発明に係るミラーは、キーボードやタッチスクリーンの使用を必要とすることなく、前記ミラー自体とさらに別の外部電子機器の両方の複雑な対話可能性を提供する、極めて多機能を備えた装置である。前記ユーザのジェスチャおよび／または動きは信頼性の高い方法で判定される。これは、ユーザをカメラで記録することが、前記ジェスチャおよび／または動きの識別に必要とされないためである。本発明に係るミラーの好ましい構成は洗面所内のミラーについて主に記載されているが、本発明に係るミラーは洗面所の外、例えば、廊下、ホテルルーム、フィットネスルームなどにも適用可能であることを理解されたい。
【００３０】
以下に、本発明の好ましい実施形態を、図面を参照してより詳細に説明する。
【図面の簡単な説明】
【００３１】
【図１】本発明に係る対話型ミラーの好ましい実施形態の模式上面図を示す。
【図２】本発明に係る対話型ミラーの好ましい実施形態を示し、（ａ）は部分断面における模式上面図、（ｂ）は横方向の部分断面図、（ｃ）は上方から見た部分断面図を示す。
【発明を実施するための形態】
【００３２】
図１は、本発明に係る対話型ミラーの好ましい実施形態を模式的に示す。前記対話型ミラーは、少なくとも部分的に反射性を有するミラー面１と、前記ミラー面と一体化した複数のディスプレイ２ａおよび２ｂと、前記ミラー面と一体化した２つのアクティブ型赤外線センサ３と、２つのセンサ３によって検出されたデータに基づいて、前記ミラーの前（ミラーの前方、ミラーの正面）で行う人物の動きおよび／またはジェスチャを判定および識別するように適合されたプロセッサ（図示せず）とを備える。さらに、図１の対話型ミラーは、２つの任意のマイクロフォン４を備える。マイクロフォン４は、音声情報を供給できる。この音声情報は、騒音自体（例えば、電動歯ブラシまたはシェーバの作動音）に基づいて評価されるだけでなく、例えば、スピーチ入力を可能にするために、スピーチとして記録されて評価される。
【００３３】
前記プロセッサの採り得る実現形態は、組込み型ソリューション用の８ビットまたは３２ビットのマイクロプロセッサである。このマイクロプロセッサにおいて、例えばプログラム言語Ｃで記述したソフトウェアが、センサ３を割込方式で読み取る。これらセンサ３は、Ｉ２Ｃのようなシリアルデータバスを介して接続されている。次に、転送されたデータは、妥当性およびジェスチャについて前記マイクロプロセッサによって確認され、さらに別のアプリケーションのために、前記ミラーの制御ソフトウェアが使用するジェスチャコードに変換される。メカレスシステムズゲーエムベーハー（Mechaless Systems GmbH）のセンサHalios E909.05が、本発明に従ってジェスチャを判定するように適合されたアクティブ型赤外線センサの一例である。次に、このセンサは、ジェスチャコードを前記プロセッサのメインシステムソフトウェアに提供する。E909.05センサの説明書には、これらジェスチャが認識される方法が詳細に記載されている。
【００３４】
前記プロセッサには、識別および通信のために、好ましくは、対応するサブシステム（ブルートゥース（登録商標）、Ｗｉｆｉ（登録商標）など）が設けられる。これらサブシステムとの接続確立中に、前記プロセッサは、前記機器（例えば、ブルートゥース（登録商標）を介した歯ブラシ）の識別を機器コードによって実行し、前記ミラーのメインプログラムにおいてこれら機器の各機能を引き起こす。
【００３５】
この対話型ミラーは、好ましくは、外部電子機器から受信したデータに基づいて、以下の手順の内の１つ以上を実行するように適合されている。
・非アクティブモードからアクティブモードへの切替
・アクティブモードから非アクティブモードへの切替
・前記外部電子機器に関連するアプリケーションの始動および／または終了
・機器固有情報の前記ディスプレイへの表示
・指示の前記ディスプレイへの表示
・前記外部電子機器の以前の使用および／または推奨される使用に対応する利用データの表示
・さらに別の外部電子機器の制御
・機器固有情報および／または利用データのさらに別の外部電子機器への送信
【００３６】
このために必要とされる機能は、前記ミラーのプロセッサにおけるメインソフトウェアによって、例えばローカル制御プロセッサおよびネットワークデータを介して起動される。同様に、前記メインソフトウェアは、好ましくは、前記ディスプレイ上の視覚的表示を制御し、センサ３またはさらに別の機器（図示せず）からのデータを評価する。
【００３７】
図示の好ましい実施形態では、種々の形状および寸法を有する複数のディスプレイ部２ａが、ミラー面１の両側縁端領域それぞれに設けられている。好ましくは、これらディスプレイ部は、別々のディスプレイではない。むしろ、ミラー面１の２つの縁端領域は、それぞれ、大きな面を有するディスプレイからなる。各ディスプレイは、例えば長方形状であり、前記プロセッサによって制御され、１つ以上のディスプレイ部が必要に応じて映し出される。個々のディスプレイ部は、別々のコンテンツのために設けられてもよい。例えば、必要に応じて、別々のディスプレイ部に、ニュース、交通情報、天気情報、電子メール、フェイスブック、ツイッタ、カレンダー登録などを映し出すことができる。異なるコンテンツに対して割り当てられるディスプレイ部の配置、形状、および寸法は、好ましくは、ユーザによる調整および／またはプログラムが可能である。
【００３８】
ミラー面１の２つの側縁端領域に２つのディスプレイを設置するのが、特に好ましい。この設置により、必要に応じて（例えば、左利きや右利きの場合）、ミラー面１の左側および／または右側に情報を映し出すことが可能になる。さらに、左側および右側における２つの別々のディスプレイが、前記ミラーの前の２人の人物によって同時に使用されてもよい。この場合、１つのディスプレイが、各人物に割り当てられる。好ましくは、これら２つの側方ディスプレイはそれぞれ、ミラー面１の横幅の３０％未満、より好ましくは２５％未満、最も好ましくは２０％未満の横幅を占める。好ましくは、さらに別のディスプレイ２ｂが追加的に設けられる。このさらに別のディスプレイ２ｂは、中央部分に配置され、好ましくはユーザの鏡像に情報を映し出すのに適する。例えば、このミラーに対応している電気シェーバが使用されている間に、所定の髭剃りパターンが人物の鏡像に映し出されてもよい。この機能のために、内蔵センサによる人物の位置の解析結果が好ましくは照会されて、人物の表示の物理的位置に対応する画像メモリの位置に使用される。このため、前記メインソフトウェアは情報を統合でき、人物が動いている場合でも正しい場所に情報を映し出だすことができる。
【００３９】
この中央部のディスプレイ２ｂは、好ましくは、ミラー面１の横幅の少なくとも４０％、より好ましくは少なくとも５０％、最も好ましくは少なくとも６０％を占める。２つの側方に配置されたディスプレイおよび１つの中央部のディスプレイ２ｂに代えて、１つの単独の大きな面のディスプレイを設置することも可能である。このディスプレイは、必要に応じて、一方または両方の縁端領域に情報を映し出し、中央領域において、ユーザの鏡像に情報を重ね合わせる。
【００４０】
前記ミラーと一体化した２つのアクティブ型赤外線センサ３が、好ましくは、図１に示すように、ミラー面１の２つの側縁端部に配置される。最も好ましくは、２つのセンサ３は、図１に示すように、前記ミラーの縦幅のほぼ中心に配置される。ただし、２つのセンサ３は、ミラー面１の上部側もしくは底部側にずれて配置されてもよく、ならびに／または、ミラー面１の上縁端部および／もしくは底縁端部に配置されてもよい。また、３つ以上のセンサ３、例えば、４つまたは６つのセンサを設けることも可能である。ミラー面１の少なくとも両側縁端部に少なくとも２つのセンサ３を配置することにより、例えば、右手のジェスチャと左手のジェスチャ、および／または、前記ミラーの前の２人の人物を特に十分に区別できる。各アクティブ型赤外線センサ３は、好ましくは、赤外領域の放射線を照射する２つの送信機３ａであって、外側に位置する送信機３ａと、前記赤外領域の反射された放射線のための受信機３ｂであって、中心（好ましくは中心近く）に配置された１つの受信機３ｂとからなる。ただし、本発明に従って、他のセンサ形態（形状と配置からなる形態）が用いられることも可能である。例えば、３つまたは４つの赤外線ＬＥＤが、三角形、長方形、または正方形の形態で、１つ以上の赤外線フォトダイオードの周囲に配置されることも可能である。
【００４１】
２つのマイクロフォン４も、好ましくは、図１で示すように、ミラー面１の２つの側縁端部に配置される。ただし、マイクロフォン４は、ミラー面１の下側縁端部に配置される必要はなく、より上方に設置されてもよい。
【００４２】
図２（ａ）〜（ｃ）に、本発明に係る対話型ミラーのさらに好ましい実施形態を示す。前記ミラーは、フレーム９に取り付けられたミラー面１を含む。ミラー面１は、好ましくは、反射性コーティングを有するミラーガラスを含む。この反射性コーティングは、少なくとも１０％、好ましくは少なくとも１５％、最も好ましくは少なくとも２０％の光透過率を有する。好ましくは、前記コーティングされたミラーガラスの背面が、コントラストを向上させる黒色箔で覆われている。この箔は、好ましくは、ディスプレイ素子２ａおよび２ｂ用の凹部を有し、これにより、データおよび情報が前記鏡像上に映し出される。
【００４３】
図示の好ましい実施形態では、側方のミラー縁端部に配置された２つのディスプレイと、中央部に配置された１つのディスプレイ２ｂとが設けられている。これら３つのディスプレイ２ａおよび２ｂはほぼ同一寸法および同一形状で図示されているが、２つの側方ディスプレイ２ａの寸法および形状と、中央部のディスプレイ２ｂの寸法および形状とは、互いに異なってもよい。好ましくは、中央部のディスプレイ２ｂは、ミラー面１の横幅の少なくとも４０％、より好ましくは少なくとも５０％、最も好ましくは少なくとも６０％を占める。図１を参照して上述したように、異なる情報を有する異なるディスプレイ部が、好ましくは、２つの側方ディスプレイ２ａに映し出される一方、ユーザの鏡像周囲の情報が、好ましくは、中央部のディスプレイ２ｂに映し出される。ただし、前記ミラーの前の２人の人物の鏡像周囲の情報を映し出すために２つの側方ディスプレイ２ａが使用されながら、中央部のディスプレイ２ｂに情報を映し出すためのディスプレイ部を設けることも可能である。
【００４４】
図示した好ましい実施形態では、３つのディスプレイ２ａおよび２ｂはそれぞれ、対応するプロセッサ５ａおよび５ｂを備え付けている。代わりに、１つのプロセッサが、３つ全てのディスプレイに対して設けられてもよい。前記ディスプレイおよびプロセッサは、電源ユニット６から給電される。２つのアクティブ型赤外線センサ３は、ミラー面１の２つの側方縁端部に位置する。さらに、人物が前記ミラーの前にいるか否かを検出するように適合された、２つの近距離センサ７および２つのセンサ８が設けられる。これら近距離センサは、例えば、アクティブ型もしくはパッシブ型赤外線技術（ＰＩＲ）、レーザトラッキング、光断面測定、または超音波に基づいて実現されてもよい。図示した好ましい実施形態では、アクティブ型赤外線センサ３およびこれらセンサ８はプロセッサ５ａに接続される（図において破線で示す）。これにより、左側および／または右側のユニットがそれぞれ、２つのセンサ３および８、ディスプレイ２ａ、ならびにプロセッサ５ａによって構成される。ただし、全てのセンサおよびディスプレイが、１つのプロセッサに接続されることも可能である。近距離センサ７はそれぞれ、プロセッサ５ａに接続される。
【００４５】
ディスプレイ２ａおよび２ｂは、可能な限り少ない損失での表示を可能にするために、例えば、適切な接続（例えば、ＨＤＭＩ（登録商標）、ＬＶＤＳなど）を介して前記プロセッサに接続されるＴＦＴディスプレイ素子であってもよい。前記ディスプレイ、および／または、前記電源および任意のバックライトを含むディスプレイ素子の制御が、一体化した制御要素によって実行される。制御コンピュータが、１つ以上の画面を管理できる。１つ以上のコンピュータを制御するコアタスクは、ネットワーク規格（例えば、イーサネット（登録商標）、ＷｉＦｉ（登録商標）、ブルートゥース（登録商標）、ＺｉｇＢｅｅ（登録商標）など）を介する、データシーケンス、情報シーケンス、および制御シーケンスの受送信と、前記ディスプレイユニット、および／または前記ミラーガラスの後ろに取り付けられたディスプレイ上のデータおよび制御要素の処理およびレンダリングと、装備されたセンサ（近接センサ、ジェスチャセンサ、ＮＦＣリーダ、輝度センサ）のデータの利用および処理とを含む。前記制御コンピュータは、適切に組み込まれたシステムであって、オペレーティングシステム（例えば、Ｌｉｎｕｘ（登録商標）など）が装備されて１つ以上のディスプレイ素子の接続を可能にするシステムから構成されてもよい。センサは、好ましくは、ＵＳＢまたはブルートゥース（登録商標）などの接続を介して直接組み込まれるが、センサ情報を取り込む専用の拡張電子機器を介して一体化されてもよい。前記組込みシステムの処理能力および記憶性能は、同時に発生するネットワーク動作およびセンサ動作の間に複雑な表示をも可能にするのに十分である必要がある。
【００４６】
好ましくは、前記対話型ミラーは、外部電子機器（好ましくは、同時に２つ以上の電子機器）を制御するように適合されている。前記制御は、好ましくは、メインオペレーティングソフトウェアによって実行される。このソフトウェアは、外部電子機器をローカルネットワークコンポーネント／サブシステムを介して、かつ、標準的なネットワークインタフェース（ＷｉＦｉ（登録商標）、イーサネット（登録商標）、ブルートゥース（登録商標）など）を介して制御できる。前記制御についての規則および依存関係が、メインオペレーティングソフトウェア内に恒久的に確立されて実装されてもよい。代わりに、ネットワーク接続を介して、規則のセットとしてダウンロードされてもよい。
【００４７】
アクティブ型赤外線センサ３は、好ましくは、ミラー面１の左側および右側の縁端部において、中心付近に一体化される。各ディスプレイ領域の前方の領域におけるセンサの送信部３ａ（図１参照）によって確立される赤外線フィールドにおいて、２Ｄまたは３Ｄフィールドでのジェスチャがこの赤外線フィールドの信号の特定の反射を生じさせて、これらジェスチャが認識される。これら反射は、赤外線送信機３ａの真上および真下に位置する赤外線センサ３ｂ（図１参照）によって取り込まれる。反射の要因（例えば、ジェスチャを行う手）が、２つのセンサの反射情報の信号解析によって、その位置および奥行きに関して、リアルタイムに判定されてもよい。この情報は、例えばシリアルバスを介して制御コンピュータに渡される。そして、この制御コンピュータは、前記位置データに基づいて現在のジェスチャを判定し、対話のために、記憶した規則を実行する（例えば、気象データを表示する）。メカレスシステムズゲーエムベーハーのセンサHalios E909.05が、本発明に従ってジェスチャを判定するように適合されたアクティブ型赤外線センサの一例である。
【００４８】
２つ以上のディスプレイが設けられた場合（図２（ａ）参照）、これらディスプレイは、好ましくは、前記ミラーの前の２人の人物によって同時に使用可能である。これは、例えば、前記メインソフトウェアが２つ以上のユーザコンテキストを同時に処理（並列処理、並列スレッド）するようにプログラムされることで、技術的に可能である。代わりに、互いに独立した２つのシステムが実装されてもよい。この場合には、前記プロセッサは、好ましくは、ミラーの前の２人の人物が行う動きおよび／またはジェスチャを、前記少なくとも１つのセンサによって検出されたデータに基づいて同時に判定し、前記２つのシステムをそれぞれ各人物に割り当てるように適合されている。これらセンサ信号は、好ましくは、生じた動き／ジェスチャの三次元解析によって評価される。これら動き／ジェスチャは、前記赤外線センサの場合には座標に基づいて行われてもよい。代わりに、カメラ画像の場合には画像分析によって行われてもよい。
【００４９】
フレーム９は、例えばＬ形状断面を有する、例えばアルミニウムフレームであってもよい。前記ミラーガラスが、例えば特定の接着フィルムによって、フレーム９に取り付けられてもよい。フレーム９は、部材やスクリーンを前記ミラーガラス背面に装着するために、壁面からの一定の最短距離（例えば、４〜６ｃｍ）を保証する。さらに、フレーム９は、好ましくは、間接的な鏡灯（図示せず）用の装着面として、および、光学素子用および電子素子用のヒートシンクとして機能する。アルミニウムは、特にヒートシンクに適している。好ましくは、１つ以上のＬＥＤストリップがフレーム９に接着されて、これらＬＥＤスリップが間接的なバックライトのために後方に発光する。
【００５０】
個々の部品や部材の上述した配置ならびに個々の部品や部材の上述した相対的な寸法および形状などは、単なる例示であることを理解されたい。３つのディスプレイ２ａおよび２ｂの代わりに、１つまたは２つのディスプレイのみが設けられてもよい。センサ３，７および８は、異なって配置されてもよく、また、１種類のセンサが２つ以上存在してもよい。図示のセンサおよびマイクロフォンに加えて、さらに別のインタフェースおよび入力要素が設けられてもよい。
【図１】
2017524216.tif 000003
【図２】
2017524216.tif 000004
【国際調査報告】
2017524216.tif 000005
2017524216.tif 000006
2017524216.tif 000007
2017524216.tif 000008
2017524216.tif 000009
2017524216.tif 000010